(57)【要約】      （修正有）【課題】簡単に設置できるうえに忌避効果が高く、電源が不要であるので設置費用およびランニングコストも安い有害動物の忌避具を提供する。  【解決手段】蓄光剤を基材樹脂に対して等量以上含む青色系の蓄光層３と、蓄光層を保護する表面のプラスチックシート５と、蓄光層の裏側に積層した白色系のバックアップ層７とを有する忌避本体２を備える。忌避本体の蓄光層は厚さが６５０μｍ以上であり、昼間日光で照射されると、蓄光層の残光によって夜間において長時間発光する。ほぼ円形平面の、２個のこの忌避本体を水平の弾性部材の両端部にワイヤを介してそれぞれ吊り下げ、弾性部材の中間部を細長い支柱部の上方に取り付けて使用する。  【選択図】図１
0003212215.tif 000002
【実用新案登録請求の範囲】
【請求項１】
蓄光剤を基材樹脂に対して等量以上含む青色系の蓄光層と、該蓄光層を保護する表面のプラスチックシートと、該蓄光層の裏側に積層した白色系のバックアップ層とを有する忌避本体を備え、忌避本体の蓄光層は厚さが６５０μｍ以上であり、昼間日光で照射されると、蓄光層の残光によって夜間において長時間発光する有害動物の忌避具。
【請求項２】
忌避本体は、青色系の蓄光層を有する円板または円板に近い小型の平面形状を有し、常に揺動している状態で使用する請求項１記載の忌避具。
【請求項３】
表面のプラスチックシートの裏側には、濃色系の目玉模様が印刷されている請求項１記載の忌避具。
【請求項４】
イノシシなどの害獣類が忌避するように、青色系の蓄光層および該蓄光層の裏側に積層した白色系のバックアップ層を有するほぼ円形平面の忌避本体を用い、２個の忌避本体を水平の弾性部材の両端部にワイヤを介してそれぞれ吊り下げ、該弾性部材の中間部を細長い支柱部の上方に取り付けることにより、該支柱部を土中に差し込んで垂直に固定すると、害獣類のほぼ眼の高さにおいて、離隔した２個の忌避本体は夜間発光しながら上下左右に揺動する有害動物の忌避具。
【請求項５】
カラスなどの鳥類が忌避するように、青色系の蓄光層および該蓄光層の裏側に積層した白色系のバックアップ層を有するほぼ円形面の忌避本体を用い、２個の忌避本体を水平の弾性部材の両端部にワイヤを介してそれぞれ吊り下げ、該弾性部材の中間を適宜に固定することにより、離隔した２個の忌避本体は昼間には上下左右に揺動するとともに、朝夕には微発光しながら揺動する有害動物の忌避具。
【考案の詳細な説明】
【技術分野】
【０００１】
本考案は、簡単に設置できるうえに忌避効果が高く、電源が不要であるので設置費用およびランニングコストが安い有害動物の忌避具に関する。
【背景技術】
【０００２】
近年、未開地の開発が進んでイノシシやシカなどの野生動物の生息地が消滅しつつあり、これらの野生動物は食物を求めて奥地から耕作地へ下りざるを得ない状況にある。このため、イノシシが農作地に出没してジャガイモを食べたり、シカが葉菜類や果菜類を食べるという被害が各地で発生している。このような野生動物による被害の対策としては、防護柵によって農作物を栽培する畑地や苗木を植栽した地域の周囲を囲むことが一般的である。しかしながら、金属製の防護柵を畑地の全周に設置するには多額の費用を要するうえに、イノシシの体当たりによって防護柵が破損する事態が多発し、防護柵に通電する場合には漏電の問題も発生する。
【０００３】
防護柵の代わりに、特開２００８−２８３９１１号や特開２０１７−５５６７７号では、野生動物が畑地や植栽地の周囲に近づかないように、野生動物が嫌がる臭気を放つ忌避剤を容器に収容し、畑地などの周辺に配置する害獣忌避具を開示している。特開２００８−２８３９１１号に開示の害獣忌避具は、忌避剤を外部に逐次放出する開口が常に開放状態となっているため、この害獣忌避具を長期間に亘り野外で配置すると、適量の忌避剤を長期間に亘って安定的に放出することが困難である。このため、特開２０１７−５５６７７号では、適量の忌避剤を長期間に亘って安定的に放出することができる構造を有している。
【０００４】
また、特開２００９−１１２２５６号では、忌避剤の散布と野生動物を物理的に忌避させる機構とを組み合わせる。この食害防止体は、畑地に立設する支柱を複数本の支持鉄線を起立状態に支持し、該支柱の上端には、風力や動物の接触などの外力で変位する動的威嚇体を軸支するとともに、該支柱の途中位置に動物忌避剤および反射体などの静的威嚇体を設ける。この食害防止体は、遠方の野生動物を威嚇して畑地の野菜類に接近するのを防止し、仮に接近しても野菜類が食べられる事態を可及的に防ぎ、しかも施工が容易であって畑地の広さに応じて自在に施工することができる。
【０００５】
忌避剤を放散すると、人間にとっても悪臭と感じることが多く、農作業環境を悪化させて人の健康について有害になる恐れがあるため、特開２００９−１８９３５０号では、ワイヤーと光反射テープを保持する動物忌避具を提案している。この動物忌避具は、保持棒を地面に突き刺し、該保持棒でワイヤー線と光反射テープを保持し、該ワイヤー線を光反射テープの下側に取り付けることにより、野生動物がワイヤー線に足を引っ掛けると、光反射テープが揺れる構造になっている。この動物忌避具は、ワイヤー線と光反射テープの相乗効果により、野生動物がこの忌避具を嫌って離れるか、または退路を求めてこの忌避具に沿って移動するため、わなに導いて捕獲することができる。
【先行技術文献】
【特許文献】
【０００６】
【特許文献１】特開２００８−２８３９１１号公報
【特許文献２】特開２０１７−５５６７７号公報
【特許文献３】特開２００９−１１２２５６号公報
【特許文献２】特開２００９−１８９３５０号公報
【考案の概要】
【考案が解決しようとする課題】
【０００７】
特開２００８−２８３９１１号や特開２０１７−５５６７７号のように忌避剤を使用すると、人間が悪臭と感じて農作業環境が悪化するほかに、忌避剤の定期的な補給が必要であるうえに、野生動物が臭いに慣れてしまうことがある。この慣れの問題は、非作動の既存の防護柵でも同様に生じ、これに対して、特開２００９−１１２２５６号の食害防止体では、外力によって変位する動的威嚇体を備え、該動的威嚇体は回転棒、浮動リボン、発音用回転翼などであり、特開２００９−１８９３５０号に開示の動物忌避具においても、光反射テープが同様の機能を有する。
【０００８】
イノシシなどの野生動物は、畑地に出没するのは深夜であることが多いから、特開２００９−１１２２５６号および特開２００９−１８９３５０号のように外力によって変位する部材を備えていても、夜間において目視できなければその忌避効果は全く生じない。この種の動物忌避装置では、外力によって変位する部材の作動は一般に単調であり、該部材の回動や動きによって野生動物を威嚇する忌避効果は小さい。また、特開２００９−１１２２５６号の食害防止体は畑地のほぼ全面に配設し、且つ特開２００９−１８９３５０号の動物忌避具は畑地の全周に配設することが必要であるから、広大な畑地ではその設置費用が膨大な金額になってしまう。
【０００９】
本考案は、従来の動物忌避装置に関する前記の問題点を改善するために提案されたものであり、野生動物が主に出没する夜間において確実に視認させて畑地などへの侵入を忌避する有害動物の忌避具を提供することを目的としている。本考案の他の目的は、青色発光する忌避本体の動きが複雑であるので、その動きに野生動物が慣れることが少ない有害動物の忌避具を提供することである。本考案の別の目的は、例えば１０ｍ間隔で設置していけばよく、広大な畑地でもその全設置費用が比較的安価である有害動物の忌避具を提供することである。
【課題を解決するための手段】
【００１０】
本考案に係る有害動物の忌避具は、蓄光剤を基材樹脂に対して等量以上含む青色系の蓄光層と、該蓄光層を保護する表面のプラスチックシートと、該蓄光層の裏側に積層した白色系のバックアップ層とを有する忌避本体を備える。忌避本体の蓄光層は厚さが６５０μｍ以上であり、昼間日光で照射されると、蓄光層の残光によって夜間において長時間発光する。
【００１１】
本考案に係る忌避具において、忌避本体は、青色系の蓄光層を有する円板または円板に近い小型の平面形状を有し、常に揺動している状態で使用する。また、表面のプラスチックシートの裏側には、濃色系の目玉模様を印刷すると好ましい。
【００１２】
本考案に係る他の忌避具は、イノシシなどの害獣類が忌避するように、青色系の蓄光層および該蓄光層の裏側に積層した白色系のバックアップ層を有するほぼ円形平面の忌避本体を用い、２個の忌避本体を水平の弾性部材の両端部にワイヤを介してそれぞれ吊り下げ、該弾性部材の中間部を細長い支柱部の上方に取り付けることにより、該支柱部を土中に差し込んで垂直に固定すると、害獣類のほぼ眼の高さにおいて、離隔した２個の忌避本体は夜間発光しながら上下左右に揺動する。
【００１３】
本考案に係る別の忌避具は、カラスなどの鳥類が忌避するように、青色系の蓄光層および該蓄光層の裏側に積層した白色系のバックアップ層を有するほぼ円形面の忌避本体を用い、２個の忌避本体を水平の弾性部材の両端部にワイヤを介してそれぞれ吊り下げ、該弾性部材の中間を適宜に固定することにより、離隔した２個の忌避本体は昼間には上下左右に揺動するとともに、朝夕には微発光しながら揺動する。
【考案の効果】
【００１４】
本考案に係る有害動物の忌避具は、青色系の蓄光層を有する忌避本体によって、野生動物が主に出没する夜間において明確に青色発光することにより、夜間に出没するイノシシ、シカなどの野生動物が忌避具に近づかず、畑地などへの侵入を確実に阻止できる。本考案の忌避具は、昼間の日光照射で常時蓄光されることにより、野生動物が行動する夜間においてほぼ常時発光することができ、野生動物に対する忌避効果が非常に高い。
【００１５】
本考案の忌避具は、２個の忌避本体を水平の弾性部材の両端部にワイヤを介してそれぞれ吊り下げ、風や接触によって容易に揺動することにより、明確に青色発光する忌避本体の動きが複雑になり、青色発光体の動きに野生動物が慣れることがなく、野生動物に対する忌避効果が長期間維持できる。また、本考案の忌避具は、発光に要する電源が不要であるので設置費用およびランニングコストが非常に安く、その設置についても畑地の全周域について例えば１０ｍ間隔で立設していけばよいので、広大な畑地でも設置本数が比較的少なく、当該畑地における本考案の忌避具の全設置費用は相当に安くなる。  
【図面の簡単な説明】
【００１６】
【図１】本考案で用いる忌避本体の一例を示す拡大断面図である。
【図２】本考案で用いる忌避本体の別の例を示す拡大断面図である。
【図３】図１の忌避本体を示す拡大平面図である。
【図４】本考案に係る有害動物の忌避具を示す概略側面図である。
【図５】本考案の忌避具の変形例を示す概略側面図である。
【考案を実施するための形態】
【００１７】
本考案に係る有害動物の忌避具１（図４）は、図１または図２に示すように、夜間において長時間発光する青色系の蓄光層３と、該蓄光層を保護する表面のプラスチックシート５と、該蓄光層の裏側に積層した白色系のバックアップ層７とを有する忌避本体２を備え、蓄光層３の発光が白色系のバックアップ層７の存在によっていっそう青色発光を明確に視認できる。主に夜間に出没するイノシシ、シカなどの野生動物は、特に青色発光を忌み嫌うため、遠方から揺動する忌避本体２を視認すると、忌避具１に近づかないから畑地などへの侵入を阻止できる。
【００１８】
有害動物の忌避具１は、両忌避本体２，２が揺動しやすいように、一般に図４または図５に示す態様に設置するけれども、揺動が可能であれば特に図示の設置態様に限定されず、揺動しない設置態様であっても所定の忌避効果を発揮できる。忌避本体２は、風や接触で揺動するように比較的小さくて軽い形状であると好ましく、その平面形状は、円形（図３）、楕円形、多角形などのいずれでもよい。プラスチックシート５の裏面には、目視効果を高めるために、通常、黒インクで目玉模様８（図３）を印刷すると好ましい。
【００１９】
プラスチックシート５は、通常、透明であり、または光透過に影響しない程度の半透明でもよい。プラスチックシート５は、目玉模様８の印刷時において単枚であっても、または長寸のロールであり、目玉模様８を連続印刷した後に単枚化してもよい。プラスチックシート５の厚みは５０μｍ以上であればよく、印刷作業性、耐久性などを考慮すると、好ましくは６５〜８５μｍである。プラスチックシート５には、成形前に各種の添加剤を加えて耐熱性、耐磨耗性、耐水性、耐薬品性を高めても、成形後に表面処理を施すことも可能である。
【００２０】
蓄光層３は、通常、基材樹脂に対して青色系の蓄光剤を等量以上含有しており、日光下で全体色が淡青色や淡黄緑色である。青色系の蓄光剤は、明るい状況下で蓄えた光を暗闇で一定時間継続的に青色光を放出する物質であり、高輝度で長残光性のものを選択する。この蓄光剤として、アルミン酸ストロンチウムを主成分に希土類元素の賦活剤を添加して焼成したタイプ（Ｓｒ４Ａｌ１４Ｏ２５：Ｅｕ，Ｄｙ）、硫化亜鉛に銀を結合させたタイプ（ＺｎＳ：Ａｇ）などが例示でき、用途に応じて放射性物質を多少含んでいる自発光性夜光剤を使用してもよい。蓄光層３は、暗時においてオオカミの眼を連想する青色発光を呈し、該蓄光層には、緑色発光の蓄光剤（ＳｒＡｌ２Ｏ４：Ｅｕ，ＤｙやＺｎＳ）または紫色発光の蓄光剤（ＣａＡｌ２Ｏ４：Ｅｕ，Ｄｙ）を一部混合してもよい。
【００２１】
青色系の蓄光剤は、基本樹脂のビヒクルに混合して蓄光インクとして塗布または印刷する。蓄光剤の大きさは、粒径が５〜１５０μｍの粉末タイプから４００〜１０００μｍの粒状タイプまで数多くあるが、残光輝度を高めるには粒径が大きいものが好ましく、通常、粒径が約２００μｍ以上の蓄光剤を添加する。
【００２２】
蓄光層３に添加する基材樹脂は、難燃性であって残光輝度を阻害しない透明または半透明であると好ましく、例えば、シリコン樹脂、ポリエステル樹脂、エポキシ樹脂、ポリイミド樹脂などが対応している。この蓄光インクについて、蓄光剤を基材樹脂に対して等量以上含有させ、好ましくは蓄光剤を基材樹脂に対して等量以上で２倍量以下含有させる。この際に、蓄光剤が基材樹脂に対して等量未満であると、残光輝度を十分に高めることができず、一方、蓄光剤を基材樹脂に対して２倍を超えて含有させると、蓄光インクの粘度が低下し、スムースなスクリーン印刷を行うことができない。
【００２３】
蓄光層３は、蓄光剤を多量に含有する蓄光インクによって形成し、厚さが６５０μｍ以上、好ましくは６５０〜１３００μｍ、さらに好ましくは９００μｍ以上になるように塗布または無地のスクリーンで印刷する。この際に、厚さが６５０μｍ未満であると、残光をＳ級のような高輝度にすることが困難であり、厚さが９００μｍ以上であるとＳ級のような高輝度にしやすく、一方、厚さが１３００μｍを超えると、スクリーン印刷の作業が煩雑になるうえに不経済でもある。
【００２４】
例えば、スクリーン印刷で蓄光層３の厚さが６５０μｍ以上積層するには、プラスチックシート５上にスクリーン印刷を複数回繰り返すことが必要であり、粒状の蓄光剤を含んでいるのでスクリーンのメッシュは１５メッシュ程度の粗いものを使用する。蓄光層３を非常に厚くする場合には、まずスキージで複数回ストロークして半分程度の厚みを形成し、この印刷部分が乾燥しないうちに、ウエット・オン・ウエットで蓄光インクをスクリーン上に置いてさらにスキージで複数回ストロークすることが好ましい。このような操作を行うと、蓄光層３が非常に厚くてもほぼ均一な厚さに積層することが可能である。
【００２５】
蓄光層３を積層したプラスチックシート５は、そのまま半日から１日程度室温で放置し、蓄光層３中に気泡があれば適宜に送風して脱泡する。この放置処理により、蓄光層３中において蓄光剤が下方へ沈降し、この沈降現象によって蓄光層３の表面が平滑化する。シリコーン樹脂の中で蓄光剤が沈降することで光拡散効果が生まれ、残光輝度を高めることができる。シリコーン樹脂は剥離しやすいので、この後に、プラスチックシート５を約１００℃で５分間熱処理し、該プラスチックシートと蓄光層３との層間剥離を防止することが望ましい。この熱処理では、全体を軽く押圧すると好ましい。
【００２６】
白色系のバックアップ層７は、無地のスクリーンを用いて複数回スクリーン印刷することにより、蓄光層３の全面に形成する。バックアップ用インクは、基材樹脂が難燃性であって反射性が良好な白色であると好ましく、例えば、シリコーン樹脂、ポリエステル樹脂、エポキシ樹脂、ポリイミド樹脂などであり、着色剤としてチタン白、亜鉛華、ジンクサルファイドなどを添加する。バックアップ層７は、全面厚さが４５０〜７５０μｍである。バックアップ層７には、難燃性を付与するために、クラッシュガラス、シリカ、マイカ、タルク、アルミナなどを加えてもよい。基材樹脂のシリコーン樹脂は剥離しやすいので、この後に、プラスチックシート５を約１００℃で５分間熱処理し、該プラスチックシートおよび蓄光層３とバックアップ層７との層間剥離を防止することが望ましい。この熱処理では、全体を軽く押圧すると好ましい。
【００２７】
忌避本体２は、基本的に、プラスチックシート５、青色系の蓄光層３および白色系のバックアップ層７の３層構造であるから、片面の積層素材２Ａのままで使用しても、積層素材２Ａ，２Ｂを裏表に重ねてバックアップ層７，７で接着したり、図２のようにバックアップ層７の両側に蓄光層３とシート５を積層して使用すればよい。また、図１のように積層素材２Ａに接着層１０を形成するならば、スクリーン印刷で接着層１０を積層したり、またはバックアップ層７を塗布した直後で濡れた状態であるときに両面接着テープを貼り付け、この後に離型紙１２を剥離して裏側素材２Ｂを貼り付ければよい。
【００２８】
裏表に蓄光層３を備えた長寸の積層素材は、コールド抜き加工によって所定の平面サイズの忌避本体２に定め、通常、トムソンカッタによって円形（図３）、楕円形、多角形などの平面形状に裁断する。忌避本体２の周面は切り離し状態であるので、該周面に適宜の防水樹脂などを塗布してもよい。
【００２９】
害獣類用の忌避具１は、図４に示すように、両忌避本体２，２を水平の弾性部材１４の両端部にワイヤ１６を介してそれぞれ吊り下げ、該弾性部材の中間部を細長い支柱部１８の上方に取り付ける。忌避本体２をワイヤ１６に取り付けるには、例えば、下端を曲げたワイヤ１６を図１に示す積層素材２Ａ，２Ｂで挟んで接着・固定しても、図２の忌避本体１９を囲む円形枠（図示しない）にワイヤ下端部を溶接してもよい。ワイヤ１６，１６の上端部は、弾性部材１４の両端部に前後左右に揺動可能に連結する。水平の弾性部材１４は、コイルバネ、薄板バネなどからなり、その中間部を細長い支柱部１８の上方に取り付けると忌避本体２，２を上下に揺動可能に支持できる。
【００３０】
忌避具１は、畑地の全周域について例えば５ｍまたは１０ｍ間隔をおいて、支柱部１８を地面２６に差し込んで垂直に固定する。支柱部１８を固定すると、一般に、イノシシなどの害獣類のほぼ眼の高さにおいて、離隔した２個の忌避本体２，２が夜間に青く発光しながら風などで上下左右に揺動し、天敵のオオカミの眼を連想させる。
【００３１】
鳥用の忌避具２０は、図５に示すように、忌避本体２，２を水平の弾性部材２１の両端部にワイヤ２２を介してそれぞれ吊り下げる。弾性部材２１およびワイヤ２２は図４のそれと同様または異なる素材である。弾性部材２１は、その中間部を物干し竿２４、竿吊り金具、壁面などの適当な部材に取り付けて水平に保持すればよい。忌避具２０は、ワイヤ２２によって前後左右に揺動可能であり、水平の弾性部材２１によって上下に揺動可能である。カラスなどの鳥類は、２個の忌避本体２，２は昼間には上下左右に揺動するとともに、朝夕には青く微発光しながら揺動するので忌避具２０に近づかない。
【実施例１】
【００３２】
次に、本考案を実施例に基づいて説明するが、本考案は実施例に限定されるものではない。積層素材２Ａ，２Ｂについて、厚さ７５μｍである透明のポリエステルシート５の裏面には、スクリーン印刷機を用いて、黒インクとグレーインクによって目玉模様８を連続印刷する。ポリエステルシート５の裏面には、図１に示すように、青色系の蓄光インクを連続印刷して厚い蓄光層３を積層する。
【００３３】
用いる青色系の蓄光インクは、下記の成分を混練した樹脂ペーストであり、この蓄光剤は平均粒径が２５０μｍである。
蓄光剤（Ｓｒ４Ａｌ１４Ｏ２５：Ｅｕ，Ｄｙ、根本特殊化学製）    ２重量部
透明シリコーン樹脂（商品名：ＧＮ−５Ｎ５、日本ダム製）    １重量部
溶剤                                                      適量
【００３４】
この蓄光インクは、平板印刷機において、粘度が高いので無地スクリーンを用いて繰り返し印刷する。蓄光インクの積層には、まず１５メッシュのスクリーンについてスキージで４回ストロークし、半分程度の厚みを形成する。この印刷部分が乾燥しないうちに、ウエット・オン・ウエットで蓄光インクをスクリーン上に置いてさらに４回ストロークすると、６５０μｍの厚みを形成できる。得た蓄光層３は、蓄光剤の体色が淡黄緑色であるので全体に淡黄緑色をしている。
【００３５】
蓄光層３を積層したポリエステルシート５は、そのまま１日室温で放置し、蓄光層３中に気泡があれば適宜に送風して脱泡する。この放置処理により、蓄光層３中において蓄光剤が下方へ沈降し、この沈降現象によって蓄光層３の表面が平滑化する。この後に、積層シート材を軽く押圧しながら１００℃で５分間熱処理し、該ポリエステルシートと蓄光層３との層間剥離を防止する。
【００３６】
次に、蓄光層３の裏面には、白色シリコーン樹脂のペーストを置いた１００メッシュの無地スクリーンについて４回ストロークしてからさらに３回ストロークし、バックアップ層７を形成して乾燥する。バックアップ層７の全面厚さは４５０μｍに達する。バックアップ層７を塗布した直後で濡れた状態であるときに、接着層１０となる両面接着テープを貼り付ける。得た積層素材は、乾燥後に、目玉模様８ごとにトムソンカッタによって直径３０ｍｍの円形に裁断する。
【００３７】
各積層素材２Ａ，２Ｂから離型紙１２を剥離し、両積層素材で下端を曲げたワイヤ１６を挟んで固定し、忌避本体２を形成するとともに、各忌避本体２をワイヤ１６に取り付ける。２本のワイヤ１６は、弾性部材１４である水平のコイルバネの両端部にそれぞれ吊り下げる。ワイヤ１６の実質長さは８０ｍｍ、該コイルバネは長さ１５０ｍｍである。このコイルバネの中間部を細長い支柱部１８の上方に留め具（図示しない）などで取り付ける。支柱部１８の長さは７５０ｍｍであり、下方約１５０ｍｍを地面２６に差し込んで垂直に固定する。離隔した２個の忌避本体２，２は、夜間に青く発光しながら風などで上下左右に揺動し、天敵のオオカミの眼を連想させる。
【００３８】
害獣類用の忌避具１は、例えば、１０ｍ間隔で立設していけばよく、広大な畑地でも設置本数は比較的少ない。青色系の蓄光層３は、昼間の日光照射で常時蓄光されることにより、野生動物が行動する夜間においてほぼ常時発光し、忌避本体２，２によって、野生動物が主に出没する夜間において明確に青色発光することにより、夜間に出没するイノシシ、シカなどの野生動物が忌避具に近づかず、畑地への侵入を確実に阻止できる。
【実施例２】
【００３９】
図５に示す鳥用の忌避具２０において、忌避本体２は実施例１と同様に製造する。また、各忌避本体２を水平の弾性部材２１の両端部にワイヤ２２を介して吊り下げ、これらは実施例１と実質的に同様である。
【００４０】
鳥用の忌避具２０では、弾性部材２１であるコイルバネの中間部を吊り金具２８を介して物干し竿２４に取り付け、該コイルバネを水平に保持する。忌避具２０は、ワイヤ２２によって前後左右に揺動可能であり、水平のコイルバネによって上下に揺動可能である。カラスなどの鳥類は、２個の忌避本体２，２は昼間には上下左右に揺動するとともに、朝夕には青く微発光しながら揺動するので忌避具２０に近づかない。
【符号の説明】
【００４１】
１  有害動物の忌避具  
２  忌避本体  
３  蓄光層  
５  プラスチックシート  
７  バックアップ層
８  目玉模様  
【図１】
0003212215.tif 000003
【図２】
0003212215.tif 000004
【図３】
0003212215.tif 000005
【図４】
0003212215.tif 000006
【図５】
0003212215.tif 000007